(57)【要約】【課題】  磨耗による分離爪の頻繁な交換を要せず、磨耗に対しては簡単な操作により容易に対応可能なカード処理装置を提供すること。【解決手段】  積層された複数枚のカードを、その積層端に位置するカードから１枚ずつ繰り出す繰り出し機構を備えたカード処理装置であって、繰り出し機構は、前記カード１枚分の厚さより大きく２枚分の厚さより小さな所定の間隔で、カードの繰り出し部分に設置された分離爪３６を有し、この分離爪３６は、円盤状を成し、この円盤の一面が前記積層されたカードの繰り出し側の端辺と対向し、かつ、円盤の外周の１点が前記繰り出し部において前記所定の間隔を成すように配置され、さらに、円盤の外周方向に回動可能に構成されている。【選択図】図２
2006189956.tif 000002
【特許請求の範囲】
【請求項１】
積層された複数枚のカードを、その積層端に位置するカードから１枚ずつ繰り出す繰り出し機構を備えたカード処理装置であって、
前記繰り出し機構は、前記カード１枚分の厚さより大きく２枚分の厚さより小さな所定の間隔で、カードの繰り出し部分に設置された分離爪を有し、
この分離爪は、円盤状を成し、この円盤の一面が前記積層されたカードの繰り出し側の端辺と対向し、かつ、円盤の外周の１点が前記繰り出し部において前記所定の間隔を成すように配置され、さらに、円盤の外周方向に回動可能に構成されている
ことを特徴とするカード処理装置。
【請求項２】
円盤状の分離爪を所定の回動角度毎に位置決めする回転割り出し機構を設けたことを特徴とする請求項１に記載のカード処理装置。
【請求項３】
円盤状の分離爪は、積層されたカードの繰り出し側の端辺と対向する一面が平面形状であり、他面がテーパ部を有する円錐形状であることを特徴とする請求項１または２に記載のカード処理装置。
【請求項４】
円盤状の分離爪は、繰り出し部における間隔が調整可能に保持されていることを特徴とする請求項１乃至請求項３のいずれかに記載のカード処理装置。
【発明の詳細な説明】
【技術分野】
【０００１】
本発明は、積層された複数枚のカードを、その積層端に位置するカードから１枚ずつ繰り出す繰り出し機構を備えたカード処理装置に関する。
【背景技術】
【０００２】
近年、磁気情報やＩＣチップ情報などを内蔵したプラスチック製のカードが、個人情報媒体や経済価値媒体として多用されている。この種のカードは国際標準化されており、一般には厚さ０．７６ｍｍの塩ビカードが用いられている。このようなカードは、通常の外力では曲がり難い剛媒体と考えられる。したがって、カード処理機は、カードを変形させることなく直線に搬送するようにしている。
【０００３】
ここで、ＡＴＭのカードリーダのように、カードに対して、単純に磁気情報をリード・ライトする程度の装置であれば、その搬送を直線としてもその距離は長くならない（例えば、特許文献１参照）。
【０００４】
しかしながら、カード発行機のように、カードに対し、１枚ずつの繰り出し、印刷、エンボス、情報リード・ライト、分類集積など、複数の機能を施さなければならない場合、カードを直線搬送すると、装置の長さが数メートルから１０数メートル程度と長大になってしまう。
【０００５】
このように長大となっても、業務用の処理システムであれば、長大なスペースさえ確保できれば実現可能である。しかし、顧客が使用する対面型の装置では、装置の大きさや奥行きに自ずから制約があり、直線搬送だけでは処理ができなかった。
【０００６】
そこで、直線搬送だけでなく、カードをスイッチバック機構等の手段によって方向変換して屈曲搬送を行うことにより、カードに変形を生じることなく、狭いスペースに長い搬送路を収容することが本件出願人により提案されている。
【特許文献１】特開平１０−４０４４１号公報
【発明の開示】
【発明が解決しようとする課題】
【０００７】
このようなカード処理装置では積層されたカードを、積層端に位置するものから１枚ずつ順次繰り出す繰り出し機構が設けられている。この繰り出し機構は、進退動作する係合爪を、積層端に位置する繰り出し対象のカードの後端辺に係合させ、この係合爪の直線移動によりカードを１枚ずつ繰り出している。この場合、カードは複数枚積層されているため、繰り出し対象のカードの上面に接しているカードも一緒に繰り出される、所謂重ね取りが生じることがある。この重ね取りを防止するために、繰り出し部分には、カード１枚分の厚さより大きく２枚分より小さな間隔で設置された分離爪を設け、一緒に繰り出されようとするカードを係止して、１枚のみを確実に繰り出すようにしている。
【０００８】
この分離爪は、移動するカード表面と接触するため先端部分が磨耗し、前記間隔が広がってしまう。従来の分離爪は板状またはブロック状であったため、磨耗すれば新たな部品と交換して、前記間隔を正しく調整する必要がある。しかし、カードの処理枚数は通常極めて多数であり、しかも高速処理されるため分離爪は比較的短期間で磨耗してしまい、頻繁な交換を要する。この交換作業は、正確な間隔設定作業を要するので、作業時間が長くかかり、装置の稼働率が低下し、作業員に対する負担も大きい。
【０００９】
本発明の目的は、磨耗による分離爪の頻繁な交換を要せず、磨耗に対しては簡単な操作により容易に対応可能なカード処理装置を提供することにある。
【課題を解決するための手段】
【００１０】
本発明のカード処理装置は、積層された複数枚のカードを、その積層端に位置するカードから１枚ずつ繰り出す繰り出し機構を備えたカード処理装置であって、前記繰り出し機構は、前記カード１枚分の厚さより大きく２枚分の厚さより小さな所定の間隔で、カードの繰り出し部分に設置された分離爪を有し、この分離爪は、円盤状を成し、この円盤の一面が前記積層されたカードの繰り出し側の端辺と対向し、かつ、円盤の外周の１点が前記繰り出し部において前記所定の間隔を成すように配置され、さらに、円盤の外周方向に回動可能に構成されていることを特徴とする。
【００１１】
また、本発明では、円盤状の分離爪を所定の回動角度毎に位置決めする回転割り出し機構を設けるとよい。
【００１２】
また、本発明では、円盤状の分離爪は、積層されたカードの繰り出し側の端辺と対向する一面が平面形状であり、他面はテーパ部を有する円錐形状にするとよい。
【００１３】
さらに、本発明では、円盤状の分離爪は、繰り出し部における間隔が調整可能に保持されているとよい。
【発明の効果】
【００１４】
本発明によれば、カードの繰り出し部分に設置される分離爪を円盤状とし、かつ、この円盤の外周方向に回動可能に構成したので、カードとの接触により所定の間隔をなす外周部分が磨耗しても、円盤を回動させるという簡単な動作により、円盤状の分離爪の磨耗していない外周部分で所定の間隔を維持できる。このため、頻繁な分離爪の交換作業や、それに伴う間隔調整が不要となり、装置稼働率が上昇すると共に作業員の負担を軽減することができる。
【発明を実施するための最良の形態】
【００１５】
以下、本発明による経済価値情報を記録したカ−ドを用いるカード処理装置の一実施の形態について、図面を用いて詳細に説明する。
【００１６】
図１は、この実施の形態の全体構成を示している。図１において、１は装置の外郭をなす筐体で、その内部には、それぞれ破線で囲まれた第１処理部２と第２処理部３とが構成されている。
【００１７】
第１処理部２は、入口部４、第１搬送手段７、第１情報読取手段８、第１貯留手段１０により概略構成される。入口部４は筐体１の前面（図示左側面）に配置され、常時閉の扉４ａを有する。そして、この扉４ａの開放時、所定の情報を保持した複数枚のカードＰを積層状態で受け入れる。受け入れられたカードＰは、バックアップ板５により下方に押し付けられ、カード繰り出し機構（以下、ピッカーと呼ぶ）６により、１枚ずつ後方の第１搬送手段７へ繰り出される。
【００１８】
第１搬送手段７は、上下一対のローラ７ａを複数対、直線上に配置したもので、これら一対のローラ７ａの回転により、ピッカー６によって１枚ずつ繰り出されたカードＰを、装置の後方（右方）に向ってほぼ水平方向に直線搬送する。また、この第１搬送手段７には第１情報読取手段（例えば、磁気カードリーダ）８が設けられており、内蔵された磁気ヘッド９により、搬送途中のカードＰから保持情報を読み取る。
【００１９】
第１貯留手段１０は、第１搬送手段７の搬送終端部（図示右端部）に設けられ、搬送されてきたカードＰを積層貯留する。この第１貯留手段１０は、積層貯留されたカードを一括して次段に移送する移送手段（以下、スイーパ機構と呼ぶ）１１を備えている。
【００２０】
前記第１搬送手段７は、カードＰの搬送方向を逆方向にする逆搬送機能を有する。また、第１保留手段１０は積層保留されたカードを１枚ずつ逆搬送状態の第１搬送手段７に繰り出す返却手段（前記ピッカー６と基本的に同じ構成で上下反転して設けられている）１２を有する。この返却手段１２によるカードの繰り出しを可能とするため、第１貯留手段１０の底部には、図示しないが積層状態に集積されたカードＰを上向きに押し付ける上向きのバックアップ板が設けられている。この上向きのバックアップ板は、通常時は第１貯留手段１０の底面板として機能するが、カード返却時には、図示しない押圧ばねによるばね力を受け、上昇方向に作動する。
【００２１】
また、この第１搬送手段７の前方寄り（図示左方寄り）の部分には、逆方向に搬送されたカードを搬送路上から取り出すリジェクト手段１３が設けられている。このリジェクト手段１３により搬送路上から取り出されたカードＰは、返却搬送路１４を通って、筐体１の前面に設けられた返却口１５に送られる。
【００２２】
第２処理部３は、第２貯留手段１６、第２搬送手段１８、第２情報読取手段２１、スイッチバック機構２２、第３搬送手段２４、複数のカード収納手段２６を有する。
【００２３】
第２貯留手段１６は、前記第１貯留手段１０に隣接されており、この第１貯留手段１０から、スイーパ機構１１により一括移送されてくる積層状態のカードＰを受け入れ、このカードＰをピッカー１７により１枚ずつ繰り出す。
【００２４】
第２搬送手段１８は、第２貯留手段１６から、筐体１の前方（図示左方）に向って、所定の傾斜角度を保って下向きに形成された直線上に、上下一対のローラを複数対配置して構成される。この第２搬送手段１８は、各一対のローラの回転により、第２貯留手段１６から繰り出されたカードＰを前方に向って所定の傾斜角度で直線搬送する。
【００２５】
また、この第２搬送手段１８にも、磁気カードリーダなどによる第２情報読取手段２１が設けられており、内蔵された磁気ヘッドにより、搬送途中のカードＰから保持情報を読み取る。さらに、この第２搬送手段１８は、カードの搬送方向を逆方向にする逆搬送機能を有し、かつ、逆方向に搬送されたカードＰを搬送路上から取り出すリジェクト手段１９を有する。このジェクト手段１９でリジェクトされたカードＰはリジェクト箱２０内に貯留される。
【００２６】
スイッチバック機構２２は、第２搬送手段１８の搬送終端部に設けられた回動アーム２３を有し、第２搬送手段１８によって搬送されてきたカードＰの上面を叩き、このカードＰを第３搬送手段２４上に載置させる。この第３搬送手段２４は、筐体１内の前面側（図示左方）から後方(図示右方)に向うほぼ水平な直線上に、上下一対のローラを複数対配置したもので、スイッチバック機構２２の回動アーム２３により載置され、搬送方向が変向されたカードＰを、後方に向ってほぼ水平に搬送する。
【００２７】
カード収納手段２６は第３搬送手段２４に沿って複数個（図の例では５個）設けられ、この第３搬送手段２４により搬送されてくるカードＰを、第２の情報読取手段２１による読取結果に基づいて搬送路から取り出し、積層集積する。すなわち、第３搬送手段２４には複数のカード収納手段２６に対応してそれぞれゲート板２５を設けており、上述のように、第２の情報読取手段２１の読取結果に基づいて対応するゲート板２５を開くことにより、カードをその種類毎に分別してカード収納手段２６に収納する。
【００２８】
次に、カード繰り出し機構、すなわち、基本的に同じ構成のピッカー６、カード返却手段１２、ピッカー１７の詳細構成を図２により説明する。
【００２９】
このカード繰り出し機構（ここでは、ピッカー６として説明する）は、使用者が筐体前面の入口部４から一括投入した積層状態のカードＰを、下端に位置するものから１枚ずつ順次繰り出すもので、下端に位置するカードＰの後端辺と係合してこのカードを前方に繰り出す繰り出し用の作動爪を有する。
【００３０】
図２において、３１はカード載置用のベースで、その上面には多数のカードが積層状態で載置される。また、このベース３１の上面中央部分には前後方向に沿ってスリット３２が形成されている。このスリット３２内には、図示していないが、積層下端に位置するカードＰの後端辺と係合してこのカードを前方に繰り出す繰り出し用の作動爪が前後方向に往復動可能に設けられる。さらに、このベース３１の前部（図示左手前）、すなわち、カードの繰り出し部分には、カード繰り出し用のローラ３３が設けられている。このローラ３３の外周高さは、ベース３１の上面と同じか、やや高く設定する。
【００３１】
このカード繰り出し部分の上方には、後述する分離爪３６を保持するために、ベース３７及びこのベース３７と組み合わされるサブベース３８が垂直方向に設置されている。ベース３７の中央下部には、円形の切欠き３７ａが設けられており、この切欠き３７ａ内には円盤状を成す分離爪３６が回転可能に遊嵌している。
【００３２】
円盤状の分離爪３６は、前記ベース３１上に載置されたカードの繰り出し側の端辺（前端辺）と対向する面が平面をなし、反対側の面はテーパ部分３６ａを有する断面が台形形状に形成されている。この分離爪３６の中心部には軸方向に貫通孔３６ｂが形成されており、この貫通孔３６ｂを貫通する止めねじ３９により、後述する回転割り出し部材４１と共に、サブベース３８に設けられたねじ孔３８ａにねじ止めされる。
【００３３】
前記ベース３７の両側折り曲げ部には、縦長の長孔３７ｂが設けられており、またサブベース３８の両側折り曲げ部の、上記長孔３７ｂとの対向部にはねじ孔３８ｂが設けられている。前述のように円盤状の分離爪３６を取り付けたサブベース３８は、ベース３７側の長孔３７ｂを貫通してサブベース３８側のねじ孔３８ｂに螺合する取付ねじ４２により一体的に締め付けられる。なお、サブベース３８は、取付ねじ４２を緩めることにより、長孔３７ｂの長さ分、上下方向に移動可能となる。
【００３４】
４３は位置調整機構で、ベース３７の上部中央に設けられ、左右一対の偏心カム４４を有する。サブベース３８の正面上部には左右一対の開口４５が設けられている。この一対の開口４５は、その上下内辺が、サブベース３８をベース３７に取り付けた状態において、前記一対の偏心カム４４の外周と接している。したがって偏心カム４４を回転操作することにより、偏心カム４４の偏心分、サブベース３８をベース３７に対して上下方向に位置調整することができる。
【００３５】
回転割り出し部材４１は、円板状をなし、中心に設けた貫通孔４１ａにより円盤状の分離爪３６と同心的に取り付けられる。また、その外周には図示のように、等間隔で複数の切欠きが設けられている。この回転割り出し部材４１は、分離爪３６のサブベース３８側の面に、この分離爪３６と同心に配置され、かつ、その中心部に設けられた貫通孔４１ａを貫通する止めねじ３９により、分離爪３６と共にサブフレーム３８に取り付けられる。また、この回転割り出し部材４１の、分離爪３６との対向面には図示しないが突起が設けられており、この突起は分離爪３６に形成された凹部３６ｃと係合する。したがって、回転割り出し部材４１と分離爪３６とは一体的に回転する。さらに、サブフレーム３８の回転割り出し部材４１との対向面には、回転割り出し部材４１の外周に形成した切欠きと係合可能な位置に、エンボス４６が突出形成されている。このエンボス４６は、前記切欠きとの係合により、回動割り出し部材４１と一体に回転する分離爪３６の回動角度を決定する。すなわち、回動割り出し部材４１及びエンボス４６は、分離爪３６に対する回転割り出し機構を構成している。
【００３６】
次に、カード処理装置の全体的な動作を、図１を参照しながら説明する。複数種類のカード、例えば、５００，１０００，２０００，５０００，１００００円の５種の額面のカードが有る場合、これらカードをランダムに多数有する使用者は、この多数のカードＰを、入口部４に投入する。例えば、この入口部４は、積層状態のカードＰを５０枚一括受け入れできるものとする。
【００３７】
使用者は、筐体前面の図示しない操作部を操作して入口部４の扉を開け、積層状態のカードＰを一括投入する。一括投入後、バックアップ板５が下降し、積層されたカードＰの上面を押圧する。このとき、図示しないセンサによりバックアップ板５の高さを検出し、積層されたカードの枚数が５０枚以下か否かを判定する。その結果、５０枚以上であれば、筐体表面の図示しない表示部に、枚数を減らして再投入するようにガイダンスを行う。また、投入されたカードの不ぞろいや、長すぎなどの検知手段も設け、これらが検知動作した場合も、カードを再投入するように促すガイダンスを表示し、以後の繰り出しは行わない。
【００３８】
上記条件をクリアした場合は、ピッカー６が作動し、積層状態のカードを積層端部（ピッカー６の場合、最下端）に位置するものから１枚ずつ第１搬送手段７に繰り出す。第１搬送手段７は、図示しないパルスモータによって上下一対のローラ７ａを回転駆動するもので、入口部４から繰り出されたカードＰを、装置後方に向って伸延した水平搬送路上にて往復搬送可能である。この第１搬送手段７は、通常は正転搬送を行い、搬送途中に設けられたカードリーダ８により、カードＰに保持された情報を読み出す。読み出された情報が適正であったカードＰはそのまま搬送され、第１貯留手段１０内に集積される。
【００３９】
この読取結果が、読取不能や不適正情報であった場合は、第１搬送手段７のパルスモータを一端停止した後、逆転させ、逆搬送状態とする。さらに、リジェクト手段１３を動作させ、ゲート板を開く（逆搬送方向に対して起立させる）ことにより、逆搬送されてくるカードを搬送路上から取り出し、返却搬送路１４を通って返却口１５に返却させる。
【００４０】
このリジェクトは、カードリーダ８による読取結果だけでなく、第１搬送手段７の搬送路に設けた各種センサにより、カードの不適正状態を検出した場合も、同様の動作によってリジェクトする。例えば、カードの２枚取りや薄すぎ（テレホンカード相当）は厚さセンサにより検出し、カードの長すぎ／短すぎは長さセンサで検出する。これらの不適正カードが検出された場合もリジェクトを行う。
【００４１】
このようにして入口部４に投入されたカードＰを順次繰り出し、入口部４にカードがなくなると、図示しない残留検知センサが残留無しを検知し、ピッカー６による繰り出しを停止する。
【００４２】
前述のように、適正なカードＰはそのまま搬送され、第１貯留手段１０内に集積される。第１貯留手段１０へのカード集積が終了すると、集積されたカードについて、カードリーダ８が読み取った情報の内容を、筐体１前面の図示しない表示部に表示し、利用者の確認を得る。すなわち、読み取った額面金額の総額や、各種別の枚数などを表示する。この結果、例えば、利用者が意図した額面総額と読み取られた額面総額とが異なる場合など、利用者は「確認ＮＯ」のボタンを押下する。
【００４３】
「確認ＮＯ」のボタンが押下されると、第１貯留手段１０に集積されたすべてのカードＰを返却口１５に返却する。すなわち、第１搬送手段７を逆搬送状態にし、リジェクト手段１３のゲート板を開く。また、第１貯留手段１０の底部に設けられた図示しない上向きのバックアップ板を上昇させ、返却手段１２により、積層上部からカードＰを１枚ずつ、逆搬送状態の第１搬送手段７に繰り出す。このため、カードＰはリジェクト手段１３のゲート板で搬送路から取り出され、返却搬送路１４を通って返却口１５に返却される。このとき、カードリーダ８により、通過したカードの情報や枚数を読み取り、記憶しておく。
【００４４】
これに対し、利用者が「確認ＯＫ」のボタンを押下するとスイーパ機構１１が動作し、第１貯留手段１０に集積されたカードＰを一括して図示右方に押し出す。このため、積層状態のカードＰは、隣接した第２貯留手段１６内に積層状態のまま一括移送され、この第２保留手段１６内に約１５度傾斜した状態で集積される。
【００４５】
この動作が終了し、第１貯留手段１０内にカードがないことが図示しない残留センサで検出されると、一連のカード受け入れ処理が終わり、次の利用者がカードを入口部４に投入できるようになる。
【００４６】
一方、第２処理部３の第２貯留手段１６内に集積されたカードは、ピッカー１７により１枚ずつ第２搬送手段１８に繰り出される。繰り出されたカードは、第２搬送手段１８により前方に向って斜め下方に搬送される。また、搬送途中においてカードリーダ２１により、保持された情報が読み出される。読み出された情報が適正であれば、さらに確認のための情報書込みを行ったり、情報を消去したりしながら、そのまま順方向に搬送される。
【００４７】
これに対し、読み取った情報が不適正であったり、読取不能の場合は、第２搬送手段１８による搬送を一旦停止後、逆搬送状態にし、リジェクト手段１９を動作させてカードをリジェクト箱２０内にリジェクトする。このリジェクト動作後、次のカードが第２貯留手段１６から繰り出される。
【００４８】
順方向に搬送された適正なカードは、スイッチバック部２２に進入し、その先端がストッパに当接するとアーム２３が下向きに回動し、カードの上面を叩いて第３搬送手段２４の開始端（図示左端）上に押下する。このため、カードは第３搬送手段２４により、今度は後方（図示右方）に向かって水平方向に搬送される。
【００４９】
第３搬送手段２４に対しては、その搬送方向に沿って複数のカード収納手段２６が設けられており、かつ、これらカード収納装置２６に対応してそれぞれゲート板２５が設けられているので、各カード収納装置２６には、該当する種類のカードが選別されて収納される。すなわち、搬送されてくるカードの種類は、カードリーダ２１により読み取られているので、そのカードの種類に該当するカード収納装置２６のゲート板２５を開いておく。このため、対応するカードは、この開いたゲート板２５により搬送路上から図示斜め右下方に取り出され、カード収納装置２６のカセット本体内に集積される。
【００５０】
このように、種類の異なるカードを多数ランダムに投入すると、カードに保持されている情報からカードの種類を判別し、種類毎に選別して該当するカード収納手段に集積することができる。
【００５１】
ここで、図１で示したピッカー６、カード返却手段１２、ピッカー１７は、基本的に同じ構成であり、多数積層されたカードＰを、積層端（下端又は上端）に位置するものから１枚ずつ順次繰り出すカード繰り出し機構として機能する。
【００５２】
このカード繰り出し機構（例えば、ピッカー６とする）は、図２で示すカード載置用のベース３１上面に多数積層されたカードＰのうち、下端に位置するカードＰの後端辺に、スリット３２内を往復動する図示しない作動爪を係合させ、このカードＰを前方に繰り出している。この場合、カードは複数枚積層されているため、繰り出し対象のカードの上面に接しているカードも一緒に繰り出されようとして、所謂重ね取りが生じることがある。この重ね取りを防止するために、繰り出し部分には、カード１枚分の厚さより大きく２枚分より小さな間隔で設置された分離爪３６を設け、一緒に繰り出されようとするカードを係止して、１枚のみを確実に繰り出すようにしている。
【００５３】
この分離爪３６は、移動するカード表面と接触するため先端部分が磨耗し、前記間隔が広がってしまう。従来の分離爪は板状またはブロック状であったため、磨耗すれば新たな部品と交換して、前記間隔を正しく調整する必要がある。
【００５４】
しかし、この実施の形態では、分離爪３６を円盤状としたことから、部分的な磨耗が生じても従来のように交換することなく、分離爪３６を回動し、磨耗していない部分を繰り出し部に位置させることにより継続使用を可能としている。
【００５５】
以下、このことについて詳細に説明する。まず、分離爪３６の取り付けから説明する。分離爪３６は円盤状を成し、その平面を成す一面が、ベース３１上に載置されたカードの繰り出し側の端辺（前端辺）と対向するように、カードの繰り出し部分に垂直に配置される。カードの繰り出し部分にはカード繰り出し用のローラ３３が設けられており、このローラ３３の外周と、前述した所定の間隔、すなわち、カード１枚分の厚さより大きく２枚分より小さな間隔を保って設置される。
【００５６】
この場合、まず、分離爪３６は回転割り出し部材４１と共に、中心部を貫通してサブベース３８のねじ孔３８ａに螺合する止めねじ３９により、サブベース３８にねじ止めされる。次に、分離爪３６を取り付けたサブベース３８を、カード繰り出し部分に固定設置されたベース３７に取り付ける。すなわち、ベース３７の両側折り曲げ部にサブベース３８の両側折り曲げ部を内側から接合し、ベース３７側の長孔３７ｂにサブベース３８側のねじ孔３８ｂを合わせ、取付ねじ４２により、まずは緩く締め付ける。
【００５７】
このとき、サブベース３８の正面上部に設けられた左右一対の開口４５内には、位置調整機構４３の偏心カム４４が遊嵌しているので、この偏心カム４４を回転操作することにより、偏心カム４４の偏心分、サブベース３８をベース３７に対して上下方向に移動させ、分離爪３６の外周とローラ３３の外周との間隔を所定値に調整する。
【００５８】
実際の間隔調整に当っては、分離爪３６の外周とローラ３３の外周との間に所定厚さの図示しない冶具を挟みこみ、偏心カム４４を操作して分離爪３６の外周を前記冶具に接触させた状態で取付ねじ４２を強く締め付け、ベース３７とサブベース３８とを一体的に固定する。この操作により、分離爪３６の外周とローラ３３の外周との間隔は、カード１枚分の厚さより大きく２枚分より小さな所定の間隔に設定される。
【００５９】
この後、ベース３１の上面に多数積層されたカードＰは、下端に位置するものから図示しない作動爪により前方に繰り出される。このとき、繰り出し対象のカードの上面に接しているカードは分離爪３６により係止され、１枚のみが確実に繰り出される。この分離動作時、分離爪３６の繰り出し部との対向部分は、繰り出されるカードの表面と接触して先端部分が磨耗し、間隔が広がってしまう。そこで、円盤状の分離爪３６を所定角度回動し、磨耗していない部分を繰り出し部に対向させる。この操作により、分離爪３６を交換することなく、磨耗部分を排除し、所定の間隔を維持して継続使用する。
【００６０】
この場合、まず、止めねじ３９を緩め、分離爪３６と一体の回転割り出し部材４１の切欠きをエンボス４６から外し、分離爪３６及びこれと一体の回転割り出し部材４１を所定角度回動させ、これまでエンボス４６と係合していた切欠きの隣に位置する切欠きを、新たにエンボス４６と係合させる。この操作により、円盤状の分離爪３６は所定角度回動し、磨耗していない部分がローラ３３と対向することとなるので、止めねじ３９を締め付け、この位置関係を固定する。これらの結果、前述のように、分離爪３６を交換することなく、磨耗部分を排除し、所定の間隔を維持して継続使用することができる。
【００６１】
このように、分離爪３６が磨耗したときは、分離爪３６を所定角度回動させるだけでよく、容易に磨耗箇所を排除して所定の間隔を維持することができる。すなわち、分離爪３６は円盤状であるので中心から外周までの長さは一定であり、上述のように回動してもローラ３３との間隔は所定値を維持する。したがって、従来の分離爪そのものを交換する場合のように、間隔調整をその都度行なう必要はない。
【００６２】
また、分離爪３６は円盤状であるため、その外周全体を分離爪として使用できるため、経済的である。
【００６３】
また、磨耗しても交換の手間が不要であるため、その取り付け構成を設計する際、交換性を考慮する制約が発生せず、設計の自由度が増す。
【００６４】
分離爪３６は円盤というシンプルな形状であるため、加工しやすく、切削が可能であることから精度が出しやすく、熱処理のしやすいため、製品コストを抑えることができ、経済的である。
【００６５】
また、分離爪は、変形したカードに対応するため、通過するカードの表面に対向する辺部が円弧状であることが望ましく、従来はこの部分を円弧状に加工していたが、円盤状の分離爪３６を用いることにより、円盤の円周そのものを使用でき、加工工数を減少できる。
【００６６】
カード繰り出し機構は、図１で示した第１貯留手段１０におけるカード返却手段１２としても用いられるが、この場合、通常時は第１搬送手段７から連続的に搬送されてくるカードが、分離爪３６とローラとの間を、繰り出し方向とは逆向きに通過することとなる。このような逆向きの通過に対しても、分離爪３６は、一面を平面とし他面をテーパ部３６ｂを有する円錐形状とし、この円錐形状側を繰り出し方向とは逆向きに配置したので、通常時に第１搬送手段７から連続的に搬送されてくるカードをテーパ部分で案内し、分離爪３６とローラ３３との間をスムーズに通過させることができる。
【００６７】
さらに、割り出し部材４１を有する回転割り出し機構により、分離爪３６を一定角度回動させた位置に位置決めできるため、分離爪３６の磨耗時における対応が容易であり、磨耗した部分の再使用を確実に防止できる。
【図面の簡単な説明】
【００６８】
【図１】本発明によるカード受け入れ収納装置の一実施の形態の内部構成を示す側面図である。
【図２】同上一実施の形態におけるカード繰り出し機構の詳細構成を示す斜視図である。
【符号の説明】
【００６９】
６，１２，１７    カード繰り出し機構
３６    円盤状の分離爪
３６ａ    テーパ部
４１，４６    回転割り出し機構を構成する回転割り出し部材及びエンボス
【図１】
2006189956.tif 000003
【図２】
2006189956.tif 000004